(57)【要約】【課題】テレビジョン信号の信号形態で放送される緊急放送を、所望の通報形態で視聴可能とする。【解決手段】緊急放送を、放送開始予告となる予告放送と、この予告放送後に放送される緊急放送とで構成して放送する。この緊急放送の通報形態としては、それぞれ通報形態の異なる複数の通報形態が設けられており、これら複数の通報形態の中からユーザにより選択された通報形態を示す通報形態情報をメモリ７に予め記憶しておく。制御部１５は、上記予告放送の受信をトリガとして、該予告放送後に放送される上記緊急放送の取り込み準備を行い、上記緊急放送を受信した際に、上記メモリ７に記憶されている通報形態情報に対応する通報形態（上記予め選択された通報形態）で、該受信した緊急放送の通報を行う。【選択図】  図１
2004336227.tif 000002
【特許請求の範囲】
【請求項１】
緊急放送の放送開始を予告する予告通知を受信する予告通知受信手段と、
テレビジョン放送の受信が可能となっており、上記予告通知後にテレビジョン信号の信号形態で放送される緊急放送を受信するテレビジョン受信手段と、
それぞれ異なる複数の通報形態を有し、いずれかの通報形態で上記テレビジョン受信手段で受信された緊急放送の通報を行う通報手段と、
上記複数の通報形態の中から所望の通報形態を選択するための通報形態選択手段と、
上記通報形態選択手段で選択された通報形態を示す通報形態情報を記憶する通報形態記憶手段と、
上記予告通知受信手段で上記予告通知を受信した際に、該予告通知後に放送される上記緊急放送の受信準備を行うように上記テレビジョン受信手段を制御し、上記テレビジョン受信手段で上記緊急放送を受信した際に、上記通報形態記憶手段に記憶されている上記通報形態情報に対応する通報形態で、該受信した緊急放送の通報を行うように上記通報手段を制御する制御手段と
を有する移動体通信端末装置。
【請求項２】
請求項１記載の移動体通信端末装置であって、
上記通報手段は、少なくとも表示手段を有し、
上記制御手段は、上記通報形態として第１の通報形態が選択されている場合において、上記テレビジョン受信手段でテレビジョン放送を受信中に、上記予告通知手段で上記予告通知が受信された場合は、この予告通知に基づいて上記緊急放送の開始時刻を検出し、この緊急放送の開始時刻に合わせて、上記表示手段に表示しているテレビジョン放送を上記緊急放送に切り替えて表示するように上記表示手段を制御すること
を特徴とする移動体通信端末装置。
【請求項３】
請求項２記載の移動体通信端末装置であって、
上記制御手段は、上記通報形態として第２の通報形態が選択されている場合において、上記テレビジョン受信手段でテレビジョン放送を受信中に、上記予告通知手段で上記予告通知が受信された場合は、この予告通知に基づいて上記緊急放送の開始時刻を検出し、この緊急放送の開始時刻に合わせて、上記表示手段の表示領域を少なくとも２つの表示領域に分割し、上記テレビジョン放送を一方の表示領域に表示し、上記緊急放送を他方の表示領域に表示するように上記通報手段を制御すること
を特徴とする移動体通信端末装置。
【請求項４】
請求項１記載の移動体通信端末装置であって、
音声通話を行うための音声通信手段、音声及び画像の送受信を行うテレビ電話通信手段のうち、少なくとも一方を有し、
上記制御手段は、上記通報形態として第３の通報形態が選択されている場合において、上記音声通信手段及び上記テレビ電話通信手段のうち、いずれかの通信手段による通信時に、上記緊急放送受信手段で上記緊急放送が受信された場合は、通信回線が確立されたままの状態で該通信を保留状態とするように上記いずれかの通信手段を制御すると共に、上記受信した緊急放送の通報を行うように上記通報手段を制御し、この緊急放送の放送終了後に、上記保留状態としていた通信を再開するように上記いずれかの通信手段を制御すること
を特徴とする移動体通信端末装置。
【請求項５】
請求項４記載の移動体通信端末装置であって、
上記緊急放送の画像及び音声のうち、少なくとも一方を記憶する記憶手段を有し、
上記制御手段は、上記通報形態として第４の通報形態が選択されている場合において、上記音声通信手段及び上記テレビ電話通信手段のうち、いずれかの通信手段による通信時に、上記緊急放送受信手段で緊急放送が受信された場合は、上記通信を継続するように上記いずれかの通信手段を制御すると共に、上記受信した緊急放送を記憶手段に記憶制御し、上記いずれかの通信手段による通信終了後に再生が指定された際に、上記記憶手段に記憶された上記緊急放送の通報を行うように上記通報手段を制御すること
を特徴とする移動体通信端末装置。
【請求項６】
請求項４又は請求項５記載の移動体通信端末装置であって、
上記音声通信手段及び上記テレビ電話通信手段で通信中の、少なくとも受信音声に対して上記緊急放送の音声を重畳する音声重畳手段を有し、
上記制御手段は、上記通報形態として第５の通報形態が選択されている場合において、上記音声通信手段及び上記テレビ電話通信手段のうち、いずれかの通信手段による通信時に、上記緊急放送受信手段で緊急放送が受信された場合は、継続して通信を行うように上記いずれかの通信手段を制御すると共に、上記受信した緊急放送の音声を上記通信中の少なくとも受信音声に重畳するように上記音声重畳手段を制御すると共に、この音声重畳手段で形成された重畳音声の発音を上記緊急放送の通報として行うように上記通報手段を制御すること
を特徴とする移動体通信端末装置。
【請求項７】
請求項１から請求項６記載の移動体通信端末装置であって、
上記緊急放送の放送局に、該緊急放送の再放送を要求するための再放送要求信号を送信する再放送要求手段を有すること
を特徴とする移動体通信端末装置。
【請求項８】
緊急放送の放送開始を予告する予告通知を送信する予告通知送信手段と、上記予告通知後にテレビジョン信号の信号形態で緊急放送を放送する放送手段とを備えた放送局と、
上記放送局から送信された上記予告通知を受信する予告通知受信手段と、上記予告通知後にテレビジョン信号の信号形態で上記放送局から放送される緊急放送を受信する緊急放送受信手段と、それぞれ異なる複数の通報形態を有し、いずれかの通報形態で上記緊急放送受信手段により受信された緊急放送の通報を行う通報手段と、上記複数の通報形態の中から所望の通報形態を選択するための通報形態選択手段と、上記通報形態選択手段で選択された通報形態を示す通報形態情報を記憶する通報形態記憶手段と、上記予告通知受信手段で上記予告通知を受信した際に、該予告通知後に放送される上記緊急放送の取り込み準備制御を行い、上記緊急放送受信手段で上記緊急放送を受信した際に、上記通報形態記憶手段に記憶されている上記通報形態情報に対応する通報形態で、該受信した緊急放送の通報を行うように上記通報手段を制御する制御手段とを備えた移動体通信端末装置と
を有する緊急放送システム。
【請求項９】
請求項８記載の緊急放送システムであって、
上記移動体通信端末装置は、上記放送局に対して上記緊急放送の再放送を要求するための再放送要求信号を送信する再放送要求手段を有し、
上記放送局は、上記再放送要求信号を受信した際に、「上記予告通知及び緊急放送の再放送」、或いは「緊急放送の再放送のみ」を行うこと
を特徴とする緊急放送システム。
【発明の詳細な説明】
【０００１】
【発明の属する技術分野】
本発明は、例えば携帯電話機，ＰＨＳ電話機（ＰＨＳ：Ｐｅｒｓｏｎａｌ  Ｈａｎｄｙｐｈｏｎｅ  Ｓｙｓｔｅｍ），ＰＤＡ装置（ＰＤＡ：Ｐｅｒｓｏｎａｌ  Ｄｉｇｉｔａｌ（Ｄａｔａ）  Ａｓｓｉｓｔａｎｔ）等に設けて好適な移動体通信端末装置、及びテレビジョン信号の信号形態で放送される緊急放送を、この移動体通信端末装置を用いて受信する緊急放送システムに関する。
【０００２】
【従来の技術】
今日において、災害の発生時等の緊急時には、ラジオ放送局から緊急放送がなされる場合が多いのであるが、このような緊急放送がなされても、ラジオ受信装置の電源が投入されていない場合には、その緊急放送を聞くことはできない。また、ラジオ受信装置の電源が投入されている場合でも、緊急放送を行う放送局に選局がなされていなければ、やはり、その緊急放送を聞くことはできない。
【０００３】
特開２００１−１５６６６３号の公開特許公報に、このような緊急放送をユーザに確実に報せることを目的とする緊急情報通報装置が開示されている。
【０００４】
この緊急情報通報装置の場合、緊急度に応じて異なる発信周波数とされた緊急情報をポケットベルの通信回線を介して送信するようになっている。
【０００５】
緊急情報通報装置は、緊急度の低い発信周波数の緊急情報を受信した場合、緊急時を示す発光ダイオード（ＬＥＤ）を点滅させると共に、受信した緊急情報に対応する文字情報を表示部に表示する。
【０００６】
また、緊急度の高い発信周波数の緊急情報を受信した場合、自動的にラジオ受信装置のスイッチをオン制御すると共に、予め指定されている放送局を選局して緊急情報を発音制御する。
【０００７】
【特許文献】
特開２００１−１５６６６３号（第３頁、図２）
【０００８】
【発明が解決しようとする課題】
ここで、例えば一方のユーザは緊急放送があった場合は即座に聞きたいという希望があり、他方のユーザは取り込んでいないときに聞きたいという希望がある等のように、緊急放送に対するユーザの意識は各ユーザ毎に異なるものである。
【０００９】
また、例えば顧客との打ち合わせ中や移動中の電車の中等、大きな音を出せないときに緊急放送が強制的に発音されてしまうと、顧客や社内の周りの人達の迷惑となる恐れがある。
【００１０】
しかし、前述の特開２００１−１５６６６３号公報に開示されている緊急情報通報装置は、緊急放送があった場合、ユーザに対して、言わばリアルタイムで強制的に緊急放送を聞かせることで、該緊急放送の聞き逃しを防止するものである。換言すれば、この緊急情報通報装置は、ユーザが選択可能な通報の形態の選択肢として、緊急放送があった場合には「強制的に発音させる」という選択肢のみ存在することとなる（＝強制的に発音する以外は緊急放送に対する対処の選択肢が無い。）。
【００１１】
このため、この緊急情報通報装置は、緊急放送の通報の形態を各ユーザの希望に合わせることができないという問題があった。
【００１２】
なお、この緊急情報通報装置の場合、前述のように緊急度に応じて緊急情報の発信周波数を変えることで通報の形態が変化するが、このような通報の形態を変化させる主体は、発信周波数の変更を行う放送局側である。このため、ユーザが主体となって通報の形態を選択できるものではない。
【００１３】
さらに、前述の特開２００１−１５６６６３号公報に開示されている緊急情報通報装置は、緊急放送があった場合、自動的にラジオ受信装置の電源が投入され所定の放送局に選局がなされるのはよいが、この電源の投入から放送局の選局までの間に、緊急放送の放送が開始されてしまった場合には、緊急放送を聞き逃す恐れがある。或いは、緊急放送を途中から聞くこととなり、緊急放送の冒頭の部分を聞き逃すおそれがある。
【００１４】
本発明は、上述の課題に鑑みてなされたものであり、緊急放送の聞き逃しを強力に防止することができるうえ、ユーザが希望する通報形態で緊急放送の通報を行うことができるような移動体通信端末装置、及び緊急放送システムの提供を目的とする。
【００１５】
【課題を解決するための手段】
本発明は、緊急放送が放送される場合には、放送開始予告となる予告通知が送信され、この予告通知後に緊急放送が放送される。この緊急放送の通報形態としては、それぞれ通報形態の異なる複数の通報形態が設けられており、これら複数の通報形態の中から選択された通報形態を示す通報形態情報を記憶手段に予め記憶しておく。そして、上記予告通知を受信した際に、上記緊急放送の取り込み準備を行い、上記緊急放送を受信した際に、上記記憶手段に記憶されている通報形態情報に対応する通報形態（上記予め選択された通報形態）で、該受信した緊急放送の通報を行う。
【００１６】
【発明の実施の形態】
本発明は、図１に示す携帯電話機１、及びこの携帯電話機１を用いた図２に示す緊急放送システムに適用することができる。
【００１７】
［緊急放送システムの概要］
この実施の形態となる緊急放送システムは、ニュース速報や緊急性のある情報（以下、単に緊急放送という。）を行う際、まず、この緊急放送の予告通知となる電子メールを各ユーザの携帯電話機１に配信する。そして、この電子メールの配信後に、テレビジョン信号の信号形態で緊急放送を行う。
【００１８】
各ユーザの携帯電話機は、緊急放送の予告通知となる上記電子メールを受信すると、当該携帯電話機１の電源が投入されていない場合には、電源を自動的に投入する等の緊急放送の受信準備を行う。
【００１９】
携帯電話機１には、緊急放送の通報形態として複数の通報形態が設けられており、ユーザは、各通報形態の中から所望の通報形態を予め選択しておく。携帯電話機１は、上記予告通知となる電子メールの受信後に緊急放送を受信すると、この受信した緊急放送を、上記ユーザにより選択された通報形態で通報する。
【００２０】
これにより、緊急放送の放送開始前の予告通知により、緊急放送の聞き逃しが防止され、また、複数の通報形態を選択可能とすることで、ユーザは、所望の通報形態で緊急放送を聴取することができるようになっている。
【００２１】
［携帯電話機の構成］
図１に、当該実施の形態の緊急放送システムで用いられる携帯電話機１のブロック図を示す。この図１に示すように、携帯電話機１は、相手側の端末装置との間で音声信号を送受信する音声通信、相手側の端末装置との間で音声信号及び画像信号を送受信する、いわゆるテレビ電話通信、当該携帯電話機１の通信管理会社のコミュニケーションネットワーク上のサイトやインターネット上のサイトを閲覧するネットワーク通信、及び電子メール（携帯メール）を送受信するメール通信等を可能とするアンテナ２及び通信処理部３を有している。
【００２２】
前述のように、当該緊急放送システムでは、緊急放送の予告通知が電子メールのかたちで各ユーザに配信される。このため、この予告通知は、上記アンテナ２及び通信処理部３を介して受信されることとなる。
【００２３】
また、この携帯電話機１は、テレビジョン放送を受信するテレビジョン用アンテナ４（ＴＶ用アンテナ）、及びユーザにより指定された放送局のチャンネルを選局し、この選局した放送局のテレビジョン信号に対して、該選局した放送局の放送を当該携帯電話機で視聴可能とする信号処理を施すテレビジョン信号処理部５を有している。
【００２４】
前述のように、当該緊急放送システムでは、緊急放送は、テレビジョン信号の信号形態で送信される。このため、この緊急放送は、上記ＴＶ用アンテナ４及びテレビジョン信号処理部５を介して受信されることとなる。
【００２５】
また、この携帯電話機１は、上記緊急放送のそれぞれ異なる複数の通報形態に関する制御情報が記憶された通報形態ＲＯＭ６と、この通報形態ＲＯＭ６に記憶されている通報形態の中からユーザにより選択された通報形態を記憶する選択通報形態メモリ７とを有している。なお、各通報形態の概要については後述する。
【００２６】
また、この携帯電話機１は、テンキー等の複数の操作キーやジョグダイアル等が設けられている操作部８と、ユーザにより選択された通報形態に応じて、受信された緊急放送の記憶等を行うためのメモリ９とを有している。
【００２７】
また、この携帯電話機１は、当該携帯電話機１を振動させるバイブレータ１０と、このバイブレータ１０を振動制御するバイブレータ制御部１１と、所定の発光色で発光する発光ダイオード１２（ＬＥＤ）と、このＬＥＤ１２を、場合に応じて点灯／点滅制御するＬＥＤ制御部１３とを有している。
【００２８】
また、この携帯電話機１は、当該携帯電話機１の各部への電源制御を行う電源制御部１４と、当該携帯電話機１全体を制御する制御部１５と、現在時刻の計時を行うタイマ２２とを有している。
【００２９】
また、この携帯電話機１は、音声通信やＴＶ電話通信の音声の他、テレビジョン放送や緊急放送の音声を発音するスピーカ部１６と、ユーザが発声した音声を集音するマイクロホン部１７と、上記予告通知やＴＶ電話の画像、テレビジョン放送の画像、及び緊急放送の画像等を表示する表示部１８とを有している。
【００３０】
このような携帯電話機１は、上記アンテナ２〜制御部１５を制御ライン１９に接続し、スピーカ部１６〜表示部１８をデータライン２０に接続し、この制御ライン１９及びデータライン２０を、接続ライン２１を介して相互に接続することで構成されている。
【００３１】
［緊急放送システムの構成］
次に、この実施の形態となる緊急放送システムは、図２に示すように前述の携帯電話機１と、各時間帯毎に組まれた番組となる通常のテレビジョン放送の他、緊急放送の予告通知及び緊急放送を行う放送システム３０と、携帯電話機１の通信管理を行う通信管理会社のコミュニケーションネットワーク４０とを有している。
【００３２】
放送システム３０は、テレビ放送局３１（ＴＶ放送局）とテレビ電波塔３２（ＴＶ電波塔）とを有している。ＴＶ放送局３１は、上記予告通知を、上記コミュニケーションネットワーク４０に対応する通信プロトコルに基づいて送信し、緊急放送を、テレビジョン信号の信号形態でＴＶ電波塔３２を介して放送するようになっている。
【００３３】
コミュニケーションネットワーク４０は、ＴＶ放送局３１から上記通信プロトコルに基づいて送信された予告通知を受信し、また、この予告通知を携帯メールとして配信する複数の無線基地局４３と、無線基地局４３がＴＶ放送局３１から受信した予告通知を携帯メールとして配信する制御を行うネットワーク制御装置４１と、無線基地局４３がＴＶ放送局３１から受信した予告通知をネットワーク制御装置４１に送信し、ネットワーク制御装置４１により形成された予告通知となる携帯メールを各ユーザに配信する複数の交換局４２とを有している。
【００３４】
［緊急放送の手順］
図３のシーケンス図に、このような緊急放送システムにおける緊急放送の流れを示す。このシーケンス図において、まず、図２に示すＴＶ放送局３１は、ステップＳ１で、ユーザの携帯電話機１のコミュニケーションネットワーク４０に対応する通信プロトコルに基づいて、緊急放送の予告となる予告通知をネットワーク制御装置４１宛てに送信する。この予告通知は、ＴＶ放送局３１近辺に設けられたコミュニケーションネットワーク４０の無線基地局４３−１により受信される。
【００３５】
上記無線基地局４３−１は、ステップＳ２において、この予告通知を交換局４２に転送し、交換局４２は、ステップＳ３において、この予告通知をネットワーク制御装置４１に転送する。
【００３６】
ネットワーク制御装置４１は、この予告通知を受信すると、ステップＳ４において、この予告通知を送信する地域の選択を行う。
【００３７】
すなわち、放送局から送信される予告通知には、
・これから放送される情報の種別（ニュース速報  ｏｒ  緊急放送）
・放送開始時刻
・放送チャンネル
・放送時間
・放送地域
等の情報が含まれる。
【００３８】
ネットワーク制御装置４１は、予告通知に含まれる上記放送地域の情報と、ユーザの携帯電話機の移動に応じて当該ネットワーク制御装置４１のデータベースに登録される該携帯電話機の現在位置情報に基づいて、この放送地域内に現在位置があるユーザ（携帯電話機）の携帯メールアドレスを検出すると共に、これら各携帯電話機に対応する各無線基地局を検出する。そして、ネットワーク制御装置４１は、ステップＳ５において、
・これから放送される情報の種別（ニュース速報  ｏｒ  緊急放送  等）
・放送開始時刻
・放送チャンネル
・放送時間
等の各情報を例えば「ヘッダ情報」として記載した各ユーザ宛の携帯メール（予告通知メール）を形成し、これをステップＳ６において、上記各無線基地局を指定する情報と共に交換局４２に転送する。
【００３９】
なお、この例では、上記各情報を「ヘッダ情報」として記載することとしたが、これは、携帯メールの本文中に所定のコードとして記載し、或いは文章として記載するようにしてもよい。
【００４０】
交換局４２は、ステップＳ７において、上記各無線基地局を指定する情報に基づいて無線基地局を特定し、この特定した無線基地局（４３−２）に対して上記予告通知メールを、送信要求と共に転送する。
【００４１】
この送信要求と予告通知メールを受信した無線基地局４３−２は、ステップＳ８において、転送された携帯メールを送信する。これにより、上記予告通知で指定された地域のユーザの携帯電話機で、該ユーザ宛の予告通知メールが受信されることとなる。
【００４２】
次に、携帯電話機１は、携帯メールを受信すると、まず、受信した携帯メールのヘッダ情報を検出する。そして、このヘッダ情報に、上記「これから放送される情報の種別（ニュース速報  ｏｒ  緊急放送）」が記載されていた場合、受信した携帯メールを予告通知メールとして認識し、ステップＳ９において、テレビジョン放送の受信機能をアクティブ制御する。また、ステップＳ１０において、上記予告通知メールに記載されている放送チャンネルの情報に基づいて、上記テレビジョン放送の受信機能を、緊急放送が行われるチャンネルを選局するように選局制御する。
【００４３】
具体的には、一例であるが、この携帯電話機１は、メイン電源が投入されていない場合でも例えばバックアップ電源により携帯メールの受信機能がアクティブとなっており、メイン電源が投入されていない場合には、予告通知メールのみを選択的に受信するようになっている（メイン電源が投入されていない場合には、予告通知メール以外の他の携帯メールは受信しない。）。
【００４４】
図１に示す携帯電話機１の制御部１５は、予告通知メールを認識すると、当該携帯電話機１のメイン電源が投入されているか否かを判別し、メイン電源が投入されていない場合には、該メイン電源を投入するように電源制御部１４を制御する。これにより、メイン電源が投入されていない場合には、上記予告通知メールを受信したタイミングで当該携帯電話機１のメイン電源が自動的に投入されることとなる。
【００４５】
次に、このようにメイン電源を投入制御すると、或いはメイン電源が既に投入されていた場合には、制御部１５は、ＴＶ信号処理部５をアクティブ状態に制御し（起動させ）、上記予告通知メールの「放送チャンネル」の情報に基づいて、緊急放送を行うチャンネルを選局するようにＴＶ信号処理部５を制御する。これにより、緊急放送の受信準備が完了することとなる。
【００４６】
次に、図３のシーケンス図において、ＴＶ放送局３１は、予告通知メールを送信した後、該予告通知メールで通知した放送時間となったタイミングで緊急放送を開始する。これにより、ステップＳ１１及びステップＳ１２に示すように、ＴＶ電波塔３２を介して緊急放送が行われることとなる。
【００４７】
これに対して、携帯電話機１の制御部１５は、上記ＴＶ信号処理部５をアクティブ制御した後、タイマ２２で計時される現在時刻を監視する。そして、現在時刻が、上記予告通知メールの「放送開始時刻」となった際（放送開始時刻の３０秒前〜１分前等の所定時間前でもよい。）に、ＬＥＤ制御部１３を介してＬＥＤ１２を点滅制御（或いは点灯制御）し、バイブレータ制御部１１を介してバイブレータ１０を振動制御すると共に、上記選局制御したチャンネルの放送を受信開始するようにＴＶ信号処理部５を制御する。
【００４８】
これにより、図３のステップＳ１３に示すように、ＴＶ放送局３１から放送された緊急放送が、上記予告通知メールを受信した携帯電話機１で自動的に受信されることとなる。
【００４９】
なお、上記ＬＥＤ１２の点滅／点灯制御、及びバイブレータ１０の振動制御は、ユーザにより当該点滅／点灯制御及び振動制御が選択されている場合にのみ行うようにしてもよい。
【００５０】
次に、このように緊急放送の受信を開始すると制御部１５は、タイマ２２で計時される現在時刻を監視し、現在時刻が上記予告通知メールの「放送終了時刻」となった際に、図３のステップＳ１４に示すように緊急放送の受信を終了するように上記ＴＶ信号処理部５を制御する。これにより、緊急放送の受信が終了する。
【００５１】
〔緊急放送システムの効果〕
このように当該実施の形態の緊急放送システムは、緊急放送を行う前に、該緊急放送の予告となる予告通知メールを携帯メールのかたちで、ＴＶ放送局３１から指定された地域に位置する各ユーザの携帯電話機１に送信する。そして、このように予告通知メールの送信後に、緊急放送の放送を開始する。
【００５２】
携帯電話機１は、予告通知メールの受信をトリガとして、該予告通知メールの送信後に放送される上記緊急放送の取り込み準備制御を行うため、緊急放送の放送が開始されるまでの間に、該緊急放送の取り込み準備を完了することができる。このため、緊急放送の冒頭から緊急放送を視聴可能とすることができ、緊急放送の聞き逃しを強力に防止することができる。
【００５３】
また、携帯電話機１は、メイン電源が投入されていない場合でも上記予告通知メールの受信は可能であるうえ、この予告通知メールを受信した際に、メイン電源が投入されていない場合には、当該携帯電話機１のメイン電源を自動的に投入すると共にＴＶ信号処理部５をアクティブ制御する等の受信準備制御を行うため、緊急放送の冒頭部分の聞き逃しや、緊急放送全体の聞き逃し等を、より強力に防止することができる。
【００５４】
［選択された通報形態での通報動作］
次に、当該実施の形態の携帯電話機１は、このように受信した緊急放送を所望の通報形態で聴取可能となっている。
【００５５】
〔通報形態の選択操作〕
まず、所望の通報形態で緊急放送を選択する場合、ユーザは、図１に示す操作部８を操作して設定メニューを表示部１８に表示操作すると共に、この表示部１８に表示される設定メニューの中から「通報形態の選択メニュー」を選択操作する。携帯電話機１の制御部１５は、この「通報形態の選択メニュー」の選択操作がなされると、通報形態ＲＯＭ６に記憶されている、以下に示す「第１〜第５の通報形態の選択メニュー」を表示部１８に表示制御する。
【００５６】
・第１の通報形態  →  テレビジョン放送の視聴中に緊急放送を受信した場合に、視聴中のテレビジョン放送を中断して強制的に緊急放送に切り替えて通報を行う通報形態。
【００５７】
・第２の通報形態  →  テレビジョン放送の視聴中に緊急放送を受信した場合、表示画面を例えば２分割して、一方の表示領域にテレビジョン放送の画像を表示し、他方の表示領域に緊急放送の画像を表示する通報形態。
【００５８】
・第３の通報形態  →  音声電話及びＴＶ電話の通信中に緊急放送を受信した場合に、通信回線を切断することなく通信保留状態とし、この間に緊急放送の通報を行い、緊急放送の終了後に、上記通信保留状態としていた通信を復帰させる通報形態。
【００５９】
・第４の通報形態  →  音声電話及びＴＶ電話の通信中に緊急放送を受信した場合に、音声電話及びＴＶ電話の通信をそのまま継続させると共に、受信した緊急放送をメモリに保存しておき、ユーザから再生が指定された際に、メモリに保存されている緊急放送を再生して通報する通報形態。
【００６０】
・第５の通報形態  →  音声電話及びＴＶ電話の通信中に緊急放送を受信した場合、この緊急放送の音声を、受信音声（相手側から送信された音声）に重畳して通報する通報形態。
【００６１】
あくまでも一例なのであるが、当該実施の形態の携帯電話機１には、このような第１〜第５の通報形態が設けられており、ユーザは、各通報形態の中から所望の通報形態を選択するように操作部８を選択操作する。
【００６２】
制御部１５は、ユーザにより通報形態の選択がなされると、この選択された通報形態を示す情報を選択通報形態メモリ７に記憶制御する。そして、緊急放送を受信した際に、選択通報形態メモリ７に記憶されている、ユーザに選択された通報形態で、該受信した緊急放送の通報を行う。
【００６３】
〔通報形態の具体例〕
具体的には、選択通報形態として第１の通報形態が選択されていた場合、制御部１５は、テレビジョン放送の視聴中に緊急放送を受信すると、この視聴中のテレビジョン放送を中断し、強制的に緊急放送を受信するようにＴＶ信号処理部５を制御する。これにより、緊急放送の画像が表示部１８に表示されると共に、緊急放送の音声がスピーカ部１６を介して発音され、ユーザは、強制的に緊急放送を視聴することとなる。
【００６４】
同様に、選択通報形態として第２の通報形態が選択されていた場合、制御部１５は、テレビジョン放送の視聴中に緊急放送を受信すると、表示部１８の表示領域を例えば２分割制御する。そして、一方の表示領域に視聴中のテレビジョン放送の画像を表示し、他方の表示領域に緊急放送の画像を表示すると共に、緊急放送の音声をスピーカ部１６を介して発音制御する。
【００６５】
これにより、ユーザは、視聴中であったテレビジョン放送と緊急放送の画像との両方の画像を見ながら、音声は緊急放送の音声を聴くこととなる。
【００６６】
なお、この例では、緊急放送の音声を発音制御することとしたが、視聴中のテレビジョン放送の音声に緊急放送の音声を重畳して発音制御してもよいし、視聴中のテレビジョン放送の音声のみを発音制御するようにしてもよい。
【００６７】
同様に、選択通報形態として第３の通報形態が選択されていた場合、制御部１５は、音声電話及びＴＶ電話の通信中に緊急放送を受信すると、この音声電話或いはＴＶ電話の通信回線を切断することなく通信保留状態とするように通信処理部３を制御すると共に、受信した緊急放送の画像を表示部１８に表示制御し、緊急放送の音声をスピーカ部１６を介して発音制御する。そして、この緊急放送の終了後に、上記通信保留状態としていた音声電話或いはＴＶ電話の通信を再開するように通信処理部３を制御する。
【００６８】
これにより、ユーザは、通信を中断することなく緊急放送を視聴することができる。そして、この緊急放送の視聴後に、保留されていた通信が再開されることとなる。
【００６９】
同様に、選択通報形態として第４の通報形態が選択されていた場合、制御部１５は、音声電話及びＴＶ電話の通信中に緊急放送を受信すると、この音声電話或いはＴＶ電話の通信をそのまま継続するように通信処理部３を制御すると共に、受信した緊急放送の画像及び音声をメモリ９に記憶制御する。このようにメモリ９に記憶された緊急放送の画像及び音声は、ユーザから再生指示があったタイミングで再生される。
【００７０】
すなわち、制御部１５は、ユーザが操作部８を操作することで、メモリ９に記憶された緊急放送の再生が指定されると、該メモリ９に記憶された緊急放送の画像を読み出し、これを表示部１８に表示制御すると共に、該メモリ９に記憶された緊急放送の音声を読み出し、これをスピーカ部１６を介して発音制御する。これにより、ユーザは、自分の時間の空いているとき等に緊急放送を視聴することとなる。なお、この場合、メモリ９には、画像のみ或いは音声のみを保存するようにしてもよい。これにより、保存する情報（上記画像或いは音声）の情報量を削減することができ、記憶容量の少ないメモリ（上記メモリ９）で対応可能とすることができる。
【００７１】
同様に、選択通報形態として第５の通報形態が選択されていた場合、制御部１５は、音声電話及びＴＶ電話の通信中に緊急放送を受信すると、この緊急放送の音声を、音声電話或いはＴＶ電話の受信音声（相手側から送信された音声）に重畳し、これをスピーカ部１６を介して発音制御する。
【００７２】
これにより、ユーザは、相手側から送信された音声と共に、緊急放送の音声を聴くこととなる。
【００７３】
なお、この第５の通報形態において、緊急放送の音声を相手側に送信する音声に重畳して送信してもよい。この場合、通信相手のユーザも緊急放送の音声を視聴することができる。
【００７４】
また、この第５の通報形態において、音声電話中の場合は、表示部１８に対して緊急放送の画像を表示制御するようにしてもよい。
【００７５】
また、この第５の通報形態において、ＴＶ電話中の場合は、表示部１８の表示領域を例えば２分割制御し、一方の表示領域に通信相手側から送信された画像を表示制御し、他方の表示領域に緊急放送の画像を表示制御するようにしてもよい。
【００７６】
〔通報形態を選択可能とすることによる効果〕
このように当該実施の形態の緊急放送システムは、緊急放送の通報形態として所望の通報形態を選択可能となっており、携帯電話機１は、緊急放送を受信すると、ユーザにより予め選択された通報形態で通報するようになっている。このため、ユーザの所望の通報形態で緊急放送を通報可能とすることができる。
【００７７】
〔緊急放送の再送〕
次に、当該実施の形態の緊急放送システムは、ユーザのリクエストに応じて緊急放送の再送を行うようになっている。この場合、ユーザは、操作部８を操作して、緊急放送の再送を指定する。携帯電話機１の制御部１５は、この再送が指定されると、例えばヘッダ情報に緊急放送の再送リクエストを付加した携帯メールを形成して発信する。
【００７８】
この再送リクエストの携帯メールは、例えば無線基地局４３により受信され、交換局４２及びネットワーク制御装置４１を介してＴＶ放送局３１に送信される。
【００７９】
ＴＶ放送局３１は、上記ヘッダ情報に上記再送リクエストが付加された携帯メールを受信すると、即座に、或いは所定時間後に、前述のように予告通知を行い、この予告通知後に緊急放送を行う。
【００８０】
これにより、ユーザは、緊急放送の再放送を受けることができ、緊急放送を視聴することができる。そして、この緊急放送の再放送を行うことで、ユーザが緊急放送を見逃す不都合を、より強力に防止することができる。
【００８１】
〔ネットワークストレージを介した放送〕
以上の説明では、ＴＶ放送局３１で放送された緊急放送を、携帯電話機１がそのまま受信することとしたが、これは、ＴＶ放送局３１で放送された緊急放送をコミュニケーションネットワーク４０上に設けられたストレージに一旦記憶し、このストレージから各ユーザの携帯電話機１に対して緊急放送の配信を行うようにしてもよい。
【００８２】
この場合、ＴＶ放送局３１が、前述のように予告通知を行うと、ネットワーク制御装置４１がストレージに対して、この予告通知を転送する。また、ネットワーク制御装置４１は、この予告通知に基づいて、緊急放送を放送する地域を特定し、これを放送地域情報としてストレージに送信する。
【００８３】
ストレージは、この予告通知に基づいて、緊急放送の放送開始時刻を検出し、この放送開始時刻となったタイミングで、ＴＶ放送局３１から放送される緊急放送を記憶する。そして、緊急放送の終了後に、上記放送地域情報に対応する無線基地局に対して、上記記憶した緊急放送の画像及び音声を送信する。これにより、前述と同様に各ユーザに対して緊急放送を配信することができる。
【００８４】
〔他の適用分野〕
上述の実施の形態の説明では、緊急放送の予告通知を「電子メール」のかたちで行うこととしたが、該予告通知はテレビジョン信号の信号形態で送信してもよい。この場合でも、上述と同様の効果を得ることができる。
【００８５】
最後に、上述の実施の形態は本発明の一例である。このため、本発明は、上述の実施形態に限定されることはなく、該実施の形態以外であっても、本発明に係る技術的思想を逸脱しない範囲であれば、設計等に応じて種々の変更が可能であることは勿論であることを付け加えておく。
【００８６】
【発明の効果】
本発明は、緊急放送の予告放送の受信をトリガとして、該予告放送後に放送される上記緊急放送の取り込み準備制御を行う。これにより、緊急放送の放送が開始されるまでの間に、該緊急放送の取り込み準備を完了することができる。このため、緊急放送の冒頭から緊急放送を視聴可能とすることができ、緊急放送の聞き逃しを強力に防止することができる。
【００８７】
また、本発明は、上記緊急放送の通報形態を、複数の通報形態の中から選択可能となっている。このため、上記緊急放送を、ユーザが希望する通報形態で通報することができる。
【図面の簡単な説明】
【図１】本発明を適用した実施の形態となる緊急放送システムの携帯電話機のブロック図である。
【図２】実施の形態の緊急放送システムのブロック図である。
【図３】実施の形態の緊急放送システムの緊急放送の流れを示すシーケンス図である。
【符号の説明】
１…携帯電話機、２…アンテナ、３…通信処理部、４…ＴＶ用アンテナ、５…テレビジョン信号処理部、６…通報形態ＲＯＭ、７…選択通報形態メモリ、８…操作部、９…メモリ、１０…バイブレータ、１１…バイブレータ制御部、１２…発光ダイオード（ＬＥＤ）、１３…ＬＥＤ制御部、１４…電源制御部、１５…制御部、１６…スピーカ部、１７…マイクロホン部、１８…表示部、１９…制御ライン、２０…データライン、２１…接続ライン、３０…放送システム、３１…ＴＶ放送局、３２…ＴＶ電波塔、４０…コミュニケーションネットワーク、４１…ネットワーク制御装置、４２…交換局、４３…無線基地局
【図１】
2004336227.tif 000003
【図２】
2004336227.tif 000004
【図３】
2004336227.tif 000005